(57)【要約】【課題】使用者の使い勝手を低下することなく、消費電力を低減する表示装置を提供する。【解決手段】本発明の表示装置は、表示情報を表示する表示手段と、自装置の状態を検出する状態検出手段と、前記状態検出手段の検出結果に基づいて計時を開始するタイマ手段と、前記タイマ手段の計時時間が所定の遷移時間以上である場合、前記表示手段における通常表示状態を、前記通常表示状態と表示外観が異なり、かつ前記通常表示状態より消費電力の少ない節電表示状態へ切り替えて表示する表示制御手段と、を備えるようにした。【選択図】  図１
2018013644.tif 000002
【特許請求の範囲】
【請求項１】
表示情報を表示する表示手段と、
自装置の状態を検出する状態検出手段と、
前記状態検出手段の検出結果に基づいて計時を開始するタイマ手段と、
前記タイマ手段の計時時間が所定の遷移時間以上である場合、前記表示手段における通常表示状態を、前記通常表示状態と表示外観が異なり、かつ前記通常表示状態より消費電力の少ない節電表示状態へ切り替えて表示する表示制御手段と、
を備えたことを特徴とする表示装置。
【請求項２】
請求項１に記載の表示装置において、
前記節電表示状態は、前記通常表示状態における表示情報を維持し、かつ前記通常表示状態よりも消費電力が少ないことを特徴とする表示装置。
【請求項３】
請求項１に記載の表示装置において、
前記節電表示状態は、前記通常表示状態よりも表示情報を変更する更新頻度が低いことを特徴とする表示装置。
【請求項４】
請求項１または２に記載の表示装置において、
前記表示制御手段は、
前記通常表示状態では、前記表示手段に、前記表示情報を黒背景・白文字で表す前記表示外観で表示し、
前記節電表示状態では、前記表示手段に、前記表示情報を白背景・黒文字に反転して表す前記表示外観で表示する
ことを特徴とする表示装置。
【請求項５】
請求項１または３に記載の表示装置において、
前記表示制御手段は、
前記通常表示状態では、前記表示手段に、前記表示情報を黒背景・白文字で表す前記表示外観で表示し、
前記節電表示状態では、前記表示手段に、前記表示情報の中から前記更新頻度が高い情報を削除し、かつ白背景・黒文字に反転して表す前記表示外観で表示する
ことを特徴とする表示装置。
【請求項６】
請求項１から５のいずれか一項に記載の表示装置において、
前記表示制御手段は、前記通常表示状態の表示領域よりも小さい表示領域を駆動する節電表示状態へ切り替えて表示する
ことを特徴とする表示装置。
【請求項７】
請求項１から６のいずれか一項に記載の表示装置において、
前記表示制御手段は、前記通常表示状態の画素を構成する複数の色よりも少ない数の色を使用して表示を行う節電表示状態へ切り替えて表示する
ことを特徴とする表示装置。
【請求項８】
請求項１から７のいずれか一項に記載の表示装置において、
前記状態検出手段は、表示装置の装置温度を検出し、
前記表示制御手段は、前記装置温度が所定の温度以上である場合に、前記装置温度に基づいて前記遷移時間を設定する
ことを特徴とする表示装置。
【請求項９】
請求項１から８のいずれか一項に記載の表示装置において、
前記状態検出手段が充電動作を検出した際には、前記表示制御手段は、前記節電表示状態への切り替えを行わない
ことを特徴とする表示装置。
【請求項１０】
表示情報を表示する表示部を備えた表示装置の表示制御方法であって、
前記表示装置の状態を検出するステップと、
前記ステップの検出結果に基づいてタイマ手段の計時を開始するステップと、
タイマ手段の計時時間が所定の遷移時間以上になった時に、前記表示部における通常表示状態から前記通常表示状態と表示外観が異なり、かつ前記通常表示状態より消費電力の少ない節電表示状態に切り替えるステップ
を含むことを特徴とする表示制御方法。
【請求項１１】
請求項１０に記載の表示制御方法であって、
前記節電表示状態は、前記通常表示状態における表示情報を維持し、かつ前記通常表示状態よりも消費電力が少ないことを特徴とする表示制御方法。
【請求項１２】
請求項１０に記載の表示制御方法であって、
前記節電表示状態は、前記通常表示状態よりも表示情報を変更する更新頻度が低いことを特徴とする表示制御方法。
【請求項１３】
表示情報を表示する表示部を備えた表示装置のコンピュータに、
前記表示装置の状態を検出するステップと、
前記結果に基づいてタイマ手段の計時を開始するステップと、
タイマ手段の計時時間が所定の遷移時間以上になった時に、前記表示部における通常表示状態から前記通常表示状態と表示外観が異なり、かつ前記通常表示状態より消費電力の少ない節電表示状態に切り替えるステップ
を実行させるためのプログラム。
【請求項１４】
請求項１３に記載のプログラムであって、
前記節電表示状態は、前記通常表示状態における表示情報を維持し、かつ前記通常表示状態よりも消費電力が少ないことを特徴とする。
【請求項１５】
請求項１３に記載のプログラムであって、
前記節電表示状態は、前記通常表示状態よりも表示情報を変更する更新頻度が低いことを特徴とする。
【発明の詳細な説明】
【技術分野】
【０００１】
本発明は、表示装置、表示制御方法およびプログラムに関する。
【背景技術】
【０００２】
液晶表示装置を搭載した電子時計等の表示装置では、内蔵するバッテリにより長時間駆動することが望ましい。このため、ある特定条件下で表示をOFFして、消費電力を減らす節電表示を行なっている機器がある。
【０００３】
例えば、特許文献１には、スピーカの出力音をマイクにより取得し、取得音量が出力音の音量から所定の閾値以上減衰していると判定したときに、ユーザが使用していない状態として、省電力モードに電力モードを切り替える携帯端末が開示されている。
【先行技術文献】
【特許文献】
【０００４】
【特許文献１】特開２０１６−０９２４５７号公報
【発明の概要】
【発明が解決しようとする課題】
【０００５】
電子時計等の表示装置では、使用する環境によって、その消費電力が増大する傾向にある。しかしながら、そのような環境で、その消費電力を制限することを考慮されていない。
【０００６】
本発明は、上記の問題を解決するものであり、使用者の使い勝手を低下することなく、消費電力を低減する表示装置を提供することを目的とする。
【課題を解決するための手段】
【０００７】
上記の課題を解決するために、本発明の表示装置は、
表示情報を表示する表示手段と、
自装置の状態を検出する状態検出手段と、
前記状態検出手段の検出結果に基づいて計時を開始するタイマ手段と、
前記タイマ手段の計時時間が所定の遷移時間以上である場合、前記表示手段における通常表示状態を、前記通常表示状態と表示外観が異なり、かつ前記通常表示状態より消費電力の少ない節電表示状態へ切り替えて表示する表示制御手段と、
を備えるようにした。
【発明の効果】
【０００８】
本発明によれば、使用者の使い勝手を低下することなく表示装置の消費電力を低減できる。
【図面の簡単な説明】
【０００９】
【図１】表示装置の構成を示す図である。
【図２】実施形態の表示装置の、通常動作時における時計表示の表示外観を表わす図である。
【図３Ａ】通常動作時の時計表示から省電力表示制御した第１の節電状態における時計表示の表示外観の表示例を表わした図である。
【図３Ｂ】第１の節電状態の表示をさらに省電力制御した第２の節電状態における時計表示の表示外観の表示例を表わした図である。
【図３Ｃ】実施形態の表示装置がスリープ状態における時計表示の表示外観の表示例を表わした図である。
【図４Ａ】他の通常表示動作における液晶表示の表示外観を表わす図である。
【図４Ｂ】他の第１の節電状態における液晶表示の表示外観を表わす図である。
【図４Ｃ】他の第２の節電状態における液晶表示の表示外観を表わす図である。
【図５】液晶表示手段の節電表示制御の処理フロー図である。
【図６】液晶表示手段の節電表示制御の全体処理フロー図である。
【図７】温度に応じて節電表示制御を行う処理フロー図である。
【発明を実施するための形態】
【００１０】
以下、本発明の実施形態について、図面を参照しながら詳細に説明する。
図１は、実施形態の表示装置の構成を示す図である。
表示装置の制御手段２には、表示装置の温度検出を行う温度センサ３と、表示装置の設置環境の照度を検出する照度センサ４と、表示装置の変動（傾動や移動）を検出する傾斜センサ５と、表示装置のケース等に設けられた操作キーなどの操作手段６と、が接続され、ドットマトリクス表示が可能な液晶表示手段１（表示手段）に暦や時刻を表示する。
【００１１】
詳しくは、制御手段２は、時計の年日時分秒を計時する時計計時手段２１で計時し、その計時情報を、表示制御手段２２により、液晶表示手段１（表示手段）に表示する。
また、表示制御手段２２は、温度センサ３と照度センサ４とが接続される環境状態検出手段２３（状態検出手段）により表示装置の環境状態を検知し、傾斜センサ５と操作手段６とが接続される動作状態検出手段２４（状態検出手段）により表示装置の動作状態を検知する。
【００１２】
表示制御手段２２は、状態検出手段である環境状態検出手段２３や動作状態検出手段２４により検出した表示装置の状態情報の変化を監視し、タイマ手段２５に基づいて液晶表示手段１の省電力表示制御を行う。この省電力制御の詳細は後述する。
【００１３】
表示制御手段２２は、図示しないマイクロコンピュータ（マイクロプロセッサ）が、図示しないＲＯＭ（Read Only Memory）に格納されたプログラムを実行することにより、その機能を実現している。
【００１４】
上記の照度センサ４に替えて、ソーラーセルのような発電手段を有する時計においては、表示制御手段２２は、ソーラーセルの出力電圧により表示装置の設置環境の照度を検出してもよい。
また、表示制御手段２２は、傾斜センサ５に替えて、ジャイロセンサや加速度センサにより、表示装置の動作状態を検出してもよい。
【００１５】
実施形態の表示装置では、ドットマトリクス表示が可能であり、液晶表示手段１に、画素に内蔵されたメモリによって表示画像データを保持する反射型メモリ液晶モジュールを使用する。この反射型液晶モジュールを使用することにより、バックライトを不要とし、さらに、反射型メモリ液晶モジュールを使用することで液晶モジュールのマトリックスドライバの駆動電力を低減している。
【００１６】
つぎに、実施形態の表示装置の表示例を説明する。
図２は、実施形態の表示装置の、通常動作時（通常表示状態）における時計表示の表示外観を表わしている。
本実施例の表示装置は、曜日と日時の時計表示を液晶表示手段１に行う表示装置であり、詳細を後述する表示装置が節電表示状態やスリープ状態以外の状態を通常動作時と呼ぶ。
【００１７】
液晶表示手段１は、例えばノーマリホワイト方式であるが、時計表示のデザインを考慮し、通常動作時には、背景（ハッチングで示される部分）を黒表示し、表示情報（時計の曜日・月・日（１ｂ）、時（１ｃ）、分（１ｄ）、秒（１ｅ）、電池残量マーク（１ａ））を白表示する。
ノーマリホワイト方式の液晶モジュールでは、液晶に電圧を加えない時、反射率が最大（画面が白くなる状態）で、電圧を加えると反射率が下がる（画面が黒くなる状態）状態となるので、背景部分の液晶画素が電圧印加状態となっている。
【００１８】
例えば、秒（１ｅ）の文字（図２の「５０」）は、１秒の周期で、秒（１ｅ）の文字の画素データの書き換えが行われる。また、コロン（１ｆ）の文字（図２の「：」）は、１Ｈｚの点滅表示（０．５秒黒表示／０．５秒白表示）を行なう場合もある。この場合、０．５秒ごとに、コロン（１ｆ）の文字の画素データの書き換えが行われる。分（１ｄ）の文字（図２の「５８」）は、１分周期で、分（１ｄ）の文字の画素データの書き換えが行われる。時（１ｃ）の文字（図２の「１０」）は、６０分周期で、時（１ｃ）の文字の画素データの書き換えが行われる。他の文字についても、適宜、画素データの書き換えを行う。
【００１９】
液晶表示手段１として使用する反射型メモリ液晶モジュールは、静止画像表示においても、電圧印加されている液晶画素数が多いほど、消費電力が多くなる。
また、液晶画素のマトリックスドライバの駆動を低減すると、消費電力が低減する。つまり、画素データの書き換えを行わない方が、消費電力が小さい。
また、液晶の交流電圧駆動の周波数を低くするほど、消費電力が少なくなる。
【００２０】
実施形態の表示装置は、上記の液晶表示手段１の電力消費の特性を鑑み、つぎに説明する省電力表示制御を行う。
図３Ａは、図２の通常動作時における時計表示から省電力表示制御した表示外観の異なる第１の節電状態（第１の節電表示状態）の表示例を表わしている。
【００２１】
詳しくは、図３Ａの第１の節電状態では、上記と同じくノーマリホワイト方式である液状表示手段１において、図２の通常動作時の表示を反転して、表示外観の異なる白背景・黒文字表示とする。これにより、電圧印加する液晶画素数が少なくなるので、液晶表示手段１の消費電力を低減することができる。
さらに、図３Ａで示すように、時計の曜日・月・日（１ｂ）、時（１ｃ）、分（１ｄ）、秒（１ｅ）、電池残量マーク（１ａ）の表示情報を変更することなく、液晶表示手段１の表示領域の中央にサイズを小さくして表示外観の異なる表示としてもよい。
【００２２】
図３Ｂは、図３Ａの第１の節電状態の表示より、さらに省電力制御した表示外観の異なる第２の節電状態（第２の節電表示状態）における表示例を表わしている。
図３Ａの第１の節電状態の表示より、さらに文字を小さくした表示外観で表示するとともに、１秒周期で文字の画素データの書き換えを行う必要がある秒（１ｅ）の文字表示を行わないようにして、表示外観の異なる表示をしている。また、コロン（１ｆ）の点滅表示は行わないようにする。
これにより、さらに電圧印加する液晶画素数が少なくなって、液晶表示手段１の消費電力を低減するとともに、液晶データの書き換え（表示更新頻度）も減るので消費電力が低下する。
【００２３】
図３Ｃは、実施形態の表示装置がスリープ状態になっている時の表示を表わしている。
時計表示を行わずに、電池残量マーク（１ａ）と「NOW SLEEPING」（１ｇ）とを表示する表示外観の異なる表示として、表示装置がスリープ状態になっていることを示している。
この時、時計表示を行っていないので、周期的な液晶データの書き換えは発生しない。このため、マトリックスドライバの消費電力は最小となり、液晶表示手段１の消費電力を最小とすることができる。
この時、フリッカーの影響が無い範囲で液晶の交流電圧駆動の周波数を低く設定して、より節電するようにしてもよい。
【００２４】
上記の図２、図３Ａ、図３Ｂ、図３Ｃの表示例で説明したように、実施形態の表示装置の表示は、通常動作状態（図２）とスリープ状態（図３Ｃ）の間で、表示外観が異なる第１の節電状態（図３Ａ）と、さらに表示外観が異なる第２の節電状態（図３Ｂ）の２段階の節電状態の表示をもつようにしたが、より多くの節電状態をもつようにしてもよい。
例えば、第１の節電状態として、背景と文字の色を反転させ、その他の変更を行わない段落を追加してもよいし、図３Ａの節電状態で点滅表示していたコロン（１ｆ）の文字表示を、点滅しないようにする節電表示状態の段階や文字サイズを変える段階を追加することもできる。
【００２５】
実施形態の表示装置では、いずれの節電状態の表示においても、時計表示を行っているので、表示装置の使用者は、通常動作状態と同様に、時刻を視認すあるいは可読することができ、使い勝手が低下することはない。
【００２６】
上記では、液晶表示手段１として使用する反射型メモリ液晶モジュールがノーマリホワイト方式の液晶として説明したが、ノーマリブラック方式の場合には、通常動作状態で背景を白表示し、表示情報（時計の曜日・月・日（１ｂ）、時（１ｃ）、分（１ｄ）、秒（１ｅ）、コロン（１ｆ）、電池残量マーク（１ａ））を黒表示する。
【００２７】
そして、第１の節電状態では、表示を白黒反転して、黒背景・白文字表示とするとともに、表示する文字サイズを小さくする。
そして、第２の節電状態では、さらに文字を小さくするとともに、１秒周期で文字の画素データの書き換えを行う必要がある秒（１ｅ）とコロン（１ｆ）の文字表示を行わないようにする。
スリープ状態では、時計表示を行わずに、電池残量マーク（１ａ）と「NOW SLEEPING」（１ｇ）とを白文字表示して、表示装置がスリープ状態になっていることを示せばよい。
【００２８】
液晶表示手段１としてカラーの反射型メモリ液晶モジュールを使用する場合には、節電状態で使用する色画素を制限するようにしてもよい。例えば、第１の節電状態では、ＲＧＢの３色のうちのいずれか２色（例えば、ＲとＧ色）の液晶画素で表示を行い、第２の節電状態では、ＲＧＢの３色のうちのいずれか１色（例えば、Ｂ色）の液晶画素で表示を行うようにする。
これにより、電圧印加する液晶画素数が少なくなるので、液晶表示手段１の消費電力を低減することができる。
【００２９】
上記の実施形態の表示装置の省電力表示制御を一般化して言えば、色反転を行って電圧印加する液晶画素数を減らす処理、または、液晶画素に電圧印加して表示する文字のサイズを小さくして、電圧印加する液晶画素数を減らす処理、または、液晶データの書き換え周期が短い文字の表示を行わないようにする処理、または、周期的な液晶データの書き換えが発生しない文字列構成に変える処理、または、使用する色画素を制限する処理を組み合わせて省電力表示制御を行い、液晶表示手段１に複数の節電表示状態を設けるものである。
【００３０】
つぎに、他の液晶表示手段１の駆動方法について説明する。
上記のとおり、実施形態の表示装置の液晶表示手段１は、電圧印加しない液晶画素数が増加するように省電力表示制御されている。
【００３１】
これにより、液晶表示手段１では、画素ごとに設けられたメモリ素子が電圧印加しない状態に設定される。つまり、液晶画素に電圧印加しない状態を維持するようにメモリ素子に電源供給されている。
また、電圧印加しない液晶に係るマトリックスドライバも駆動されることはないが、電源供給されている。
このように、電圧印加しない液晶に係る回路でも、電力消費している。
【００３２】
そこで、実施形態の表示装置の他の液晶表示手段１では、液晶表示手段１を複数のセグメントに分割し、節電状態では、所定のセグメントの液晶駆動を行い、残りのセグメントは電源供給しない分割駆動を行うようにした。
【００３３】
例えば、液晶表示手段１を３セグメントに分割駆動できるように、マトリックスドライバと、液晶画素のメモリ素子と、液晶の共通電極を分割する。
そして、通常表示動作では、３セグメント全てに電力供給して液晶駆動を行う。
【００３４】
第１の節電状態では、３セグメントのうちのいずれか２つのセグメントの液晶駆動を行い、残りの１つのセグメントには電力供給しないようにする。
第２の節電状態では、３セグメントのうちのいずれか１つのセグメントの液晶駆動を行い、残りの２つのセグメントには電力供給しないようにする。
【００３５】
つぎに、図４Ａ、図４Ｂ、図４Ｃにより、実施形態の表示装置の他の表示例を説明する。
この実施例の表示装置では、液晶表示手段１の表示面をタテ方向（紙面の垂直方向）に３セグメントに分割する例を示している。なお、図の横線は、セグメント分割を示すために、記入した線で、表示はされていない。
【００３６】
図４Ａは、通常表示動作の液晶表示を示している。上段セグメント１ｘに、電池残量マーク（１ａ）と、時計の曜日・月・日（１ｂ）を表示し、中段セグメント１ｙに、時計の時（１ｃ）、分（１ｄ）、コロン（１ｆ）を表示し、下段のセグメントに、時計の秒（１ｅ）を表示する。
【００３７】
図４Ｂは、第１の節電状態の液晶表示を示している。上段セグメント１ｘに、電池残量マーク（１ａ）と、時計の曜日・月・日（１ｂ）を表示し、中段セグメント１ｙに、時計の時（１ｃ）、分（１ｄ）、秒（１ｅ）、コロン（１ｆ）を表示する。下段セグメント１ｚには電力供給しないため、非表示となる。
この時、上段セグメント１ｘと中段セグメント１ｙでは、表示する文字サイズを小さくして、省電力表示制御を行う。
【００３８】
図４Ｃは、第２の節電状態の液晶表示を示している。中段セグメント１ｙに、電池残量マーク（１ａ）と、時計の時（１ｃ）、分（１ｄ）、秒（１ｅ）、コロン（１ｆ）を表示し、上段セグメント１ｘと下段セグメント１ｚには電力供給しないため、非表示となる。
この時、中段に表示する文字サイズを第１の節電状態よりさらに小さくして、省電力表示制御を行う。
図示しないが、実施形態の表示装置が、スリープ状態になっている際には、図４Ｃのように中段セグメントに電池残量マーク（１ａ）と「NOW SLEEPING」（１ｇ）の文字とを表示する。
【００３９】
ノーマリホワイト方式の液晶表示手段１を使用し、通常表示動作には、図２で説明した時計表示を行い、第１の節電状態では、図４Ａのように、白黒反転表示する省電力表示制御を行ってもよい。
この場合には、第２の節電状態で、図４Ｂの省電力表示制御を行い、第３の節電状態で、図４Ｃの省電力表示制御を行う。
【００４０】
以降に、表示制御手段２２（図１参照）で行われる省電力表示制御を説明する。
図５は、表示制御手段２２が、液晶表示手段１を、図３Ａ、図３Ｂ、図３Ｃで説明した第１の節電状態と第２の節電状態とスリープ状態の表示に切り替える省電力表示制御の処理フローを示している。
なお、図５の処理フローは、後述する図６の処理のひとつのモジュールとして位置づけられている。
【００４１】
表示制御手段２２は、タイマ手段２５（図１参照）が計時するタイマを参照して、所定の第２の経過時間を超えたか否かを判定する（Ｓ５１）。この第２の経過時間は、スリープ状態に遷移する判定時間であり、制御手段２が予め記憶している。
ステップＳ５１で、タイマが第２の経過時間を超えていない場合には（Ｓ５１のＮｏ）、ステップＳ５２に進む。
【００４２】
ステップＳ５２で、表示制御手段２２は、タイマ手段２５が計時するタイマを参照して、所定の第１の経過時間（遷移時間）を超えたか否かを判定する（Ｓ５２）。この第１の経過時間は、第２の節電状態に遷移する判定時間であり、制御手段２が予め記憶している。
ステップＳ５２で、タイマが第１の経過時間を超えていない場合には（Ｓ５２のＮｏ）、表示制御手段２２は、液晶表示手段１の表示制御を第１の節電表示状態に設定し、図３Ａで説明した節電表示制御を行い（Ｓ５３）、処理を終了する。
【００４３】
ステップＳ５２で、タイマが第１の経過時間を超えている場合には（Ｓ５２のＹｅｓ）、表示制御手段２２は、液晶表示手段１の表示制御を第２の節電表示状態に設定し、図３Ｂで説明した節電表示制御を行い（Ｓ５５）、処理を終了する。
【００４４】
ステップＳ５１で、タイマが第２の経過時間を超えている場合には（Ｓ５１のＹｅｓ）、表示制御手段２２は、液晶表示手段１の表示制御をスリープ状態に設定し、図３Ｃで説明した節電表示制御を行い（Ｓ５４）、処理を終了する。
【００４５】
上記処理フローにより、タイマ手段２５の計時に従って、第１の節電表示状態（図３Ａ）、第２の節電表示状態（図３Ｂ）、スリープ表示状態（図３Ｃ）の複数の節電表示状態が、順に段階的に切り替えられる。
【００４６】
図６は、表示制御手段２２（図１参照）で行われる省電力表示制御の全体処理フローを示している。
実施形態の表示装置の液晶表示手段１は、リーク電流（漏れ電流）等により高温状態ほど消費電力が大きくなる。このため、温度に応じて節電表示状態に遷移する時間を短くして、液晶表示手段１の節電表示制御を行う。これにより、高温環境における消費電力を低減する。
【００４７】
以下に図１に示した実施形態の表示装置の動作を説明する。
図６の処理フローは所定周期で実施され、ステップＳ６１で、表示制御手段２２は、環境状態検出手段２３に接続する温度センサ３によって環境温度を取得し、この取得温度が所定値以上であるか否かを判定する。
取得温度が所定値以上にない場合には（Ｓ６１のＮｏ）、液晶表示手段１を節電表示状態に遷移する節電遷移時間を標準値に設定する（Ｓ６７）。そして、ステップＳ６３に進む。
【００４８】
ステップＳ６１で、取得温度が所定値以上の場合には（Ｓ６１のＹｅｓ）、表示制御手段２２は、取得温度（環境温度）に応じて節電遷移時間（遷移時間）を設定する（Ｓ６２）。この環境温度と節電遷移時間の対応関係は予め登録しておく。この対応関係は自在に設定可能である。そして、ステップＳ６３に進む。
【００４９】
ステップＳ６３で、表示制御手段２２は、環境状態検出手段２３に接続する温度センサ３と照度センサ４により環境状態を取得し、動作状態検出手段２４に接続する傾斜センサ５と操作手段６により動作状態を取得する。そして、取得した環境状態または動作状態が、実施形態の表示装置が使用中の状態を示しているか否かを判定する。
【００５０】
例えば、傾斜センサ５が示す表示装置の表示方向が、使用者の視認方向に対応する所定の角度範囲にあれば、使用中の状態とする。
また、操作手段６が操作されていれば、使用中の状態とする。
また、温度センサ３や照度センサ４が所定範囲の検出値を示していれば、使用中の状態とする。
【００５１】
ステップＳ６３で環境状態または動作状態が使用中でない場合には（Ｓ６３のＮｏ）、実施形態の表示装置がソーラーセル等の発電手段により充電を行っているか否かを判定する（Ｓ６４）。これは、充電中であれば、ソーラーセルの発電力により表示装置を駆動することができるため、バッテリ残量の低下はなく、液晶表示手段１を節電表示状態にする必要がないためである。
【００５２】
ステップＳ６４で充電中でなければ（Ｓ６４のＮｏ）、ステップＳ６５に進む。
ステップＳ６５では、表示制御手段２２は、タイマ手段２５を参照して、フリーランしているタイマのカウント値が節電遷移時間を超えているかを判定する。つまり、使用しない時間が節電遷移時間経過したか否かを判定する。
【００５３】
ステップＳ６５でタイマが節電遷移時間経過した場合には（Ｓ６５のＹｅｓ）、表示制御手段２２は、図５により説明した節電表示制御の処理フローを実行する（Ｓ６６）。
これにより、経過時間に応じて、液晶表示手段１が節電表示状態に遷移するとともに、液晶表示手段１の節電表示状態が切り替えられ、消費電力を低減することができる。
【００５４】
表示装置の環境状態または動作状態が使用中であった場合（Ｓ６３のＹｅｓ）と、表示装置が充電中であった場合（Ｓ６４のＹｅｓ）には、タイマ手段２５のカウンタをリセットして、経過時間判定のタイマをリセットする（Ｓ６８）。
そして、表示制御手段２２は、液晶表示手段１を通常表示制御の状態にする（Ｓ６９）。これにより、液晶表示手段１が節電表示制御されていた場合には、通常表示状態に復帰する。
【００５５】
ステップＳ６５で、タイマが節電遷移時間経過していなければ（Ｓ６５のＮｏ）、表示制御手段２２は、液晶表示手段１を通常表示制御の状態にする（Ｓ６９）。また、ステップＳ６５で、タイマが節電遷移時間経過していれば（Ｓ６５のＹＥＳ）、表示制御手段２２は、液晶表示手段１を節電表示制御する（Ｓ６６）。つまり、先に説明した図５のフローを行う。
表示制御手段２２は、上記の処理を所定周期で実行することで、タイマ手段２５の計時時間が所定の節電遷移時間以上になった時に、表示内容を変えずに表示パターンを変えて節電表示状態を段階的に変えて、表示装置の消費電力を低減する。
【００５６】
図５に示した液晶表示手段１の節電表示制御では、経過時間に応じて節電表示状態の設定を変えていたが、つぎに、経過時間と異なる他のパラメータにより節電表示状態の設定を変える場合を説明する。
【００５７】
実施形態の表示装置の液晶表示手段１は、リーク電流（漏れ電流）等により高温状態ほど消費電力が大きくなる。このため、図７に示すように、温度に応じて液晶表示手段１の節電表示制御を行い、高温環境における消費電力を低減する。
【００５８】
詳しくは、表示制御手段２２は、環境状態検出手段２３に接続する温度センサ３によって環境温度を取得し、この取得温度が節電温度を超えたか否かを判定する（Ｓ７１）。この節電温度は、第１節電表示状態もしくは第２節電表示状態への設定を判定する温度であり、制御手段２が予め記憶している。
【００５９】
取得温度が節電温度を超えていない場合には（Ｓ７１のＮｏ）、表示制御手段２２は、液晶表示手段１の表示制御を第１の節電表示状態に設定し、図３Ａで説明した節電表示制御を行い（Ｓ７２）、処理を終了する。
取得温度が節電温度を超えている場合には（Ｓ７１のＹｅｓ）、表示制御手段２２は、液晶表示手段１の表示制御を第２の節電表示状態に設定し、図３Ｂで説明した節電表示制御を行い（Ｓ７３）、処理を終了する。
【００６０】
図６で説明した省電力表示制御の全体処理フローのステップＳ６６において、図７の処理フローが実施されると、取得温度が高い場合には、短時間に節電表示状態に遷移し、取得温度に応じて、液晶表示手段１の節電表示状態が選択される。
【００６１】
図７は、節電温度の閾値を設けて、液晶表示手段１に対して２つの節電表示制御を行う例を示しているが、これに限定されるものではなく、３つ以上の節電表示制御を行うようにしてもよい。
また、節電温度の閾値を設けずに、所定の節電表示制御を行うようにしてもよい。
【００６２】
以上により、機器の消費電力の比率の大きい表示装置の高温化での消費電流増大による機器の電池寿命の著しい低減に対して使用者の不便の掛からないように、温度環境と機器の使用状態やそれから一定時間を除く状態で表示を節電状態にすることで電池寿命を長くしたり、表示装置の劣化の保護をする。
【００６３】
上記の本実施形態の表示装置では、メモリインピクセル液晶を液晶表示手段１に適用した場合について述べたが、表示パターンによる消費電力が変わる表示手段であれば、メモリインピクセル液晶の液晶表示手段１に限定されない。
【００６４】
例えば、ＥＬ（electroluminescence）ディスプレイ等の自発光ディスプレイであれば、時計表示等の表示内容を変えずに、文字サイズ等の発光する表示パターンを変えて段階的に電力消費を低減することができる。
また、ＳＴＮ液晶等の液晶ディスプレイの場合には、マトリックスドライバの電力消費の割合が大きいため、文字サイズ等の表示パターンの変更による電力消費効果は大きくない。このため、図４Ａ、図４Ｂ、図４Ｃに示したようなセグメント分割により、段階的に駆動するマトリックスドライバを減らして節電表示制御を行うことが望ましい。
【００６５】
また、本実施形態の表示装置では、段階的に節電しながら時計表示を行う例を説明したが、時計表示に限らず、他の表示内容の場合にも適用できる。本発明は、携帯情報端末機能をもった腕時計や、メガネ型情報端末等のウェアラブル端末等のバッテリ内蔵の情報端末に適用することができる。
【００６６】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示情報を表示する表示手段と、
自装置の状態を検出する状態検出手段と、
前記状態検出手段の検出結果に基づいて計時を開始するタイマ手段と、
前記タイマ手段の計時時間が所定の遷移時間以上である場合、前記表示手段における通常表示状態を、前記通常表示状態と表示外観が異なり、かつ前記通常表示状態より消費電力の少ない節電表示状態へ切り替えて表示する表示制御手段と、
を備えたことを特徴とする表示装置。
＜請求項２＞
請求項１に記載の表示装置において、
前記節電表示状態は、前記通常表示状態における表示情報を維持し、かつ前記通常表示状態よりも消費電力が少ないことを特徴とする表示装置。
＜請求項３＞
請求項１に記載の表示装置において、
前記節電表示状態は、前記通常表示状態よりも表示情報を変更する更新頻度が低いことを特徴とする表示装置。
＜請求項４＞
請求項１または２に記載の表示装置において、
前記表示制御手段は、
前記通常表示状態では、前記表示手段に、前記表示情報を黒背景・白文字で表す前記表示外観で表示し、
前記節電表示状態では、前記表示手段に、前記表示情報を白背景・黒文字に反転して表す前記表示外観で表示する
ことを特徴とする表示装置。
＜請求項５＞
請求項１または３に記載の表示装置において、
前記表示制御手段は、
前記通常表示状態では、前記表示手段に、前記表示情報を黒背景・白文字で表す前記表示外観で表示し、
前記節電表示状態では、前記表示手段に、前記表示情報の中から前記更新頻度が高い情報を削除し、かつ白背景・黒文字に反転して表す前記表示外観で表示する
ことを特徴とする表示装置。
＜請求項６＞
請求項１から５のいずれか一項に記載の表示装置において、
前記表示制御手段は、前記通常表示状態の表示領域よりも小さい表示領域を駆動する節電表示状態へ切り替えて表示する
ことを特徴とする表示装置。
＜請求項７＞
請求項１から６のいずれか一項に記載の表示装置において、
前記表示制御手段は、前記通常表示状態の画素を構成する複数の色よりも少ない数の色を使用して表示を行う節電表示状態へ切り替えて表示する
ことを特徴とする表示装置。
＜請求項８＞
請求項１から７のいずれか一項に記載の表示装置において、
前記状態検出手段は、表示装置の装置温度を検出し、
前記表示制御手段は、前記装置温度が所定の温度以上である場合に、前記装置温度に基づいて前記遷移時間を設定する
ことを特徴とする表示装置。
＜請求項９＞
請求項１から８のいずれか一項に記載の表示装置において、
前記状態検出手段が充電動作を検出した際には、前記表示制御手段は、前記節電表示状態への切り替えを行わない
ことを特徴とする表示装置。
＜請求項１０＞
表示情報を表示する表示部を備えた表示装置の表示制御方法であって、
前記表示装置の状態を検出するステップと、
前記ステップの検出結果に基づいてタイマ手段の計時を開始するステップと、
タイマ手段の計時時間が所定の遷移時間以上になった時に、前記表示部における通常表示状態から前記通常表示状態と表示外観が異なり、かつ前記通常表示状態より消費電力の少ない節電表示状態に切り替えるステップ
を含むことを特徴とする表示制御方法。
＜請求項１１＞
請求項１０に記載の表示制御方法であって、
前記節電表示状態は、前記通常表示状態における表示情報を維持し、かつ前記通常表示状態よりも消費電力が少ないことを特徴とする表示制御方法。
＜請求項１２＞
請求項１０に記載の表示制御方法であって、
前記節電表示状態は、前記通常表示状態よりも表示情報を変更する更新頻度が低いことを特徴とする表示制御方法。
＜請求項１３＞
表示情報を表示する表示部を備えた表示装置のコンピュータに、
前記表示装置の状態を検出するステップと、
前記結果に基づいてタイマ手段の計時を開始するステップと、
タイマ手段の計時時間が所定の遷移時間以上になった時に、前記表示部における通常表示状態から前記通常表示状態と表示外観が異なり、かつ前記通常表示状態より消費電力の少ない節電表示状態に切り替えるステップ
を実行させるためのプログラム。
＜請求項１４＞
請求項１３に記載のプログラムであって、
前記節電表示状態は、前記通常表示状態における表示情報を維持し、かつ前記通常表示状態よりも消費電力が少ないことを特徴とする。
＜請求項１５＞
請求項１３に記載のプログラムであって、
前記節電表示状態は、前記通常表示状態よりも表示情報を変更する更新頻度が低いことを特徴とする。
【符号の説明】
【００６７】
１  液晶表示手段
２  制御手段
２１  時計計時手段
２２  表示制御手段
２３  環境状態検出手段
２４  動作状態検出手段
２５  タイマ手段
３  温度センサ
４  照度センサ
５  傾斜センサ
６  操作手段
【図１】
2018013644.tif 000003
【図２】
2018013644.tif 000004
【図３Ａ】
2018013644.tif 000005
【図３Ｂ】
2018013644.tif 000006
【図３Ｃ】
2018013644.tif 000007
【図４Ａ】
2018013644.tif 000008
【図４Ｂ】
2018013644.tif 000009
【図４Ｃ】
2018013644.tif 000010
【図５】
2018013644.tif 000011
【図６】
2018013644.tif 000012
【図７】
2018013644.tif 000013